(57)【特許請求の範囲】
【請求項１】
地表面に上部穴を設ける工程と、
前記上部穴の底部に上部穴より小径の下部穴を設ける工程と、
前記上部穴の開口およびその開口の周囲の地表面の上を気密的に覆う工程と、
前記上部穴の内部のガスを外部に吸引する工程と、
前記下部穴の内部からポンプにより地下水を吸引する工程とを、
有することを特徴とする地下汚染物質の除去方法。
【請求項２】
気密板と、吸水管と、吸引装置と、ポンプとを有し、
前記気密板は地表面に設けられた上部穴の開口およびその開口の周囲の地表面の上を気密的に覆うように設けられ、
前記吸水管は前記気密板を貫通して前記上部穴の底部に設けられた上部穴より小径の下部穴の内部で地下水面に達するよう挿入され、
前記吸引装置は前記上部穴の内部のガスを吸引するよう設けられ、
前記ポンプは前記吸水管に地下水を吸引するよう接続されていることを、
特徴とする地下汚染物質の除去装置。
【請求項３】
気密室を有し、前記気密室は、前記ポンプに接続されて前記ポンプにより吸引された水を溜める曝気槽と、前記曝気槽の内部の水中で空気を噴き出す曝気管と、前記気密室の外部への排気口に接続されたガスの浄化部とを内部に有することを、特徴とする請求項２記載の地下汚染物質の除去装置。
【発明の詳細な説明】
【０００１】
【発明の属する技術分野】
本発明は、地下水および地下土壌中の汚染ガスを浄化するための地下汚染物質の除去方法および装置に関する。
【０００２】
【従来の技術】
従来の地下汚染物質の除去方法および装置として、特開平７−２８４７５３号公報に示すものがある。すなわち、地盤に設けた井戸穴に多孔管を挿入し、多孔管から土壌中のガスを吸引するとともに、多孔管内に流入する地下水を揚水ポンプで吸引するようになっている。
【０００３】
【発明が解決しようとする課題】
本発明は、従来技術に比べて、汚染物質の除去効果の高い地下汚染物質の除去方法および装置を提供することを目的としている。
【０００４】
【課題を解決するための手段】
上記目的を達成するために、本発明に係る地下汚染物質の除去方法は、地表面に上部穴を設ける工程と、前記上部穴の底部に上部穴より小径の下部穴を設ける工程と、前記上部穴の開口およびその開口の周囲の地表面の上を気密的に覆う工程と、前記上部穴の内部のガスを外部に吸引する工程と、前記下部穴の内部からポンプにより地下水を吸引する工程とを、有することを特徴とする。
【０００５】
本発明に係る地下汚染物質の除去装置は、気密板と、吸水管と、吸引装置と、ポンプとを有し、前記気密板は地表面に設けられた上部穴の開口およびその開口の周囲の地表面の上を気密的に覆うように設けられ、前記吸水管は前記気密板を貫通して前記上部穴の底部に設けられた上部穴より小径の下部穴の内部で地下水面に達するよう挿入され、前記吸引装置は前記上部穴の内部のガスを吸引するよう設けられ、前記ポンプは前記吸水管に地下水を吸引するよう接続されていることを、特徴とする。
【０００６】
本発明に係る地下汚染物質の除去方法および除去装置では、上部穴から土壌中のガスを外部に吸引する。上部穴は下部穴より大径のため、土壌との接触面積が下部穴より大きく、内壁から広い範囲のガスを吸引することができる。上部穴の開口およびその開口の周囲の地表面の上は気密的に塞がれているため、上部穴の内部のガスを吸引するとき、土壌中のガスのみを吸引することができる。上部穴からガスを吸引するとき、同時に周囲の土壌中から地下水が集まり、ガスを吸引しない場合に比べて多くの地下水が下部穴に集まる。このため、下部穴からより多くの地下水を吸引することができる。
本発明に係る地下汚染物質の除去装置において、気密板は、ゴムマット、蓋その他気密性を有するいかなる板材から成ってもよい。
【０００７】
本発明に係る地下汚染物質の除去装置は、気密室を有し、前記気密室は、前記ポンプに接続されて前記ポンプにより吸引された水を溜める曝気槽と、前記曝気槽の内部の水中で空気を噴き出す曝気管と、前記気密室の外部への排気口に接続されたガスの浄化部とを内部に有することが好ましい。
この場合、ポンプにより吸引された地下水は、気密室の内部で曝気槽に溜められ、曝気管により曝気される。曝気により生じたガスは、ガスの浄化部で浄化されて排気口から外部に排出される。
【０００８】
【発明の実施の形態】
以下、図面に基づき、本発明の実施の形態について説明する。
図１は、本発明の実施の形態を示している。
図１に示すように、地下汚染物質の除去装置は、下部穴管１と、マット２と、吸引蓋３と、吸水管４と、吸引装置５と、ガス浄化装置６と、真空ポンプ７と、タンク８と、地下水浄化装置９とを有する。
【０００９】
地下汚染物質の除去装置を設置する前に、汚染物質を除去しようとする箇所の地表面に、上部穴１０を設ける。上部穴１０の大きさの一例を挙げれば、直径２０ｃｍ〜３０ｃｍ、深さ１ｍである。さらに、上部穴１０の底部に上部穴１０より小径の下部穴１１を設ける。下部穴１１の大きさの一例を挙げれば、直径５ｃｍ〜１０ｃｍ、深さ２〜４ｍである。上部穴１０および下部穴１１の周囲は、砕石層１２となっていることが好ましい。下部穴１１には、下部穴管１を挿入する。
【００１０】
マット２は、気密性を有するゴム板から成り、上部穴１０の開口の周囲の地表面の上を気密的に覆うように設けられている。吸引蓋３は、気密性を有する金属板から成り、上部穴１０の開口を気密的に覆うように設けられている。マット２と吸引蓋３とで地表面を覆う範囲は、一例を挙げれば、上部穴１０を中心として４ｍ四方である。マット２と吸引蓋３との間の間隙は、気密的に塞がれている。吸水管４は、吸引蓋３を貫通して、下部穴１１の内部で地下水面に達するよう下部穴管１に挿入されている。
【００１１】
吸引装置５は、ブロアー５１とブロアー５１に接続された吸引管５２とから成る。吸引装置５は、吸引管５２の一端を上部穴１０の内部に挿入させて、ブロアーにより上部穴１０の内部のガスを外部に吸引するようになっている。吸引装置５の排気口５３は、ガス浄化装置６の取入口６１に接続されている。ガス浄化装置６は、函体の内部に活性炭を詰めて成っており、取入口６１から取り入れたガスに含まれる地下汚染物質を吸着して除去する。ガス浄化装置６は、地下汚染物質が除去されて浄化されたガスを排出口６２から排出する。
【００１２】
真空ポンプ７は、タンク８を介して吸水管４に地下水を吸引するよう接続されている。これにより、吸水管４は、下部穴１１の内部から地下水を吸引する。タンク８は、地下水浄化装置９に接続されている。地下水浄化装置９は、内部に気密室９１を有している。気密室９１は、内部に曝気槽９２と、曝気管（図示せず）と、ガスの浄化部（図示せず）とを有している。また、気密室９１は、外部への排気口９３を有している。曝気槽９２は、タンク８を介して真空ポンプ７に接続されており、真空ポンプ７により吸引された水を溜めるようになっている。曝気槽９２は、複数の区画に仕切られ、溜められた水はオーバーフローにより隣り合う区画に流れるようになっている。最下流の区画には、排水口９４が設けられており、浄化された水が排水される。
【００１３】
曝気管は、複数の噴出穴を有し、噴出穴から曝気槽９２の内部の水中で空気を噴き出す。曝気槽の内部の水は、曝気により浄化される。ガスの浄化部は、排気口９４に接続されている。浄化部は、内部に活性炭を詰めて成っている。曝気により生じたガスは、浄化部で浄化されて排気口９４から外部に排出される。
【００１４】
地下汚染物質の除去装置は、トリクロロエチレンその他の地下汚染物質を除去するために用いられる。地下汚染物質の除去装置は、吸引装置５により上部穴１０から土壌中のガスを外部に吸引する。上部穴１０は下部穴１１より大径のため、土壌との接触面積が下部穴１１より大きく、内壁から広い範囲のガスを吸引することができる。上部穴１０の開口およびその開口の周囲の地表面の上は気密的に塞がれているため、上部穴１０の内部のガスを吸引するとき、土壌中のガスのみを吸引することができる。このため、従来技術に比べて、汚染物質の除去効果を高めることができる。吸引装置５により吸引されたガスは、ガス浄化装置６により浄化されて外部に排出される。
【００１５】
上部穴１０からガスを吸引するとき、同時に周囲の土壌中から地下水が集まり、ガスを吸引しない場合に比べて多くの地下水が下部穴１１に集まる。このため、下部穴１１からより多くの地下水を吸引することができ、従来技術に比べて、汚染物質の除去効果を高めることができる。下部穴１１から吸引された水は、地下水浄化装置９により浄化されて排水される。
【００１６】
【発明の効果】
本発明によれば、汚染物質の除去効果の高い地下汚染物質の除去方法および装置を提供することができる。
【図面の簡単な説明】
【図１】本発明の実施の形態の地下汚染物質の除去装置の概略図である。
【符号の説明】
１  下部穴管
２  マット
３  吸引蓋
４  吸水管
５  吸引装置
６  ガス浄化装置
７  真空ポンプ
８  タンク
９  地下水浄化装置
１０  上部穴
１１  下部穴
【図１】
0003812889.tif 000002